(57)【要約】【課題】  横架材の傾斜連動を防ぎ、傾斜地に対応して支柱材に横架材を自由に傾斜させて連結できる丸太製防護柵の連結構造を提供する。【解決手段】  支柱材１と該支柱材１の芯々間に架け渡した横架材２とを板状の連結金具を介して連結した防護柵であり、支柱材１のボルト孔１５がある位置の切り込み４内に、一側方からは横架材２に固定用ボルト孔１１、１２でボルト止めした平面状連結金具６を差し込んで枢着用ボルト孔１０を支柱材１のボルト孔１５に合わせ、また他方からは横架材２に固定用ボルト孔８、９でボルト固定した屈曲状連結金具５を平面状連結金具６に屈曲内面側が接するように差し込み、各枢着用ボルト孔１０、７を支柱材のボルト孔１５に合わせて支柱材１の一方側から各ボルト孔１５、１０、７に枢着用ボルト１３を貫挿してナット１３ａを螺着し、該枢着用ボルト１３を支点に横架材２を上下方向に角度を調節して固定する。【選択図】      図２
2007186901.tif 000002
【特許請求の範囲】
【請求項１】
丸太製の直立した支柱材と該支柱材の芯々間に架け渡した横架材とを丸太径より細幅な板状の連結金具を介して結合した防護柵であって、
前記連結金具は、板面の先端寄り部位と基端寄り部位にボルト孔を設けた平面状連結金具と、板面の支柱材内に隠れる中間部位を板厚分の段差に屈曲させ、その屈曲部位よりも先端寄り部位と基端寄り部位にそれぞれボルト孔を設けた屈曲状連結金具とを一組とし、
前記横架材には、端部から前記連結金具が差し込める幅の切り込みを形成して該切り込み部に前記連結金具のボルト孔の位置に合致するボルト孔を貫設し、
前記支柱材には、上端部から下方へ前記連結金具２枚を挟める幅の縦の切り込みを形成して該縦の切り込み部の前記横架材の段数に応じて設定した各取付け高さ部位にボルト孔を貫設し、
端部に前記平面状連結金具の基端部をボルト止めした一方の横架材と、端部に前記屈曲状連結金具の基端部をボルト止めした他方の横架材とを、前記支柱材の両側から前記両連結金具の先端を前記縦の切り込み内に前記平面状連結金具に前記屈曲状連結金具の屈曲内面側が接するように差し込んで、前記支柱材のボルト孔に前記両連結金具の先端部のボルト孔を合致させてボルト止めして成り、
該ボルトを支点に両側の横架材がそれぞれ上下方向に角度を自由に調節して固定できるようにしたことを特徴とする丸太製防護柵の連結構造。
【請求項２】
丸太製の直立した支柱材と該支柱材の芯々間に架け渡した横架材とを丸太径より細幅な板状の連結金具を介して結合した防護柵であって、
前記連結金具は、前記支柱材の周面に添って湾曲した円周の約１／４の長さの周面接触部を備えるとともに、該周面接触部の両端に周円の放射方向に屈曲させた連結部と、前記周面接触部の中央と前記両連結部の先端寄りにボルト孔を設けたコーナー連結金具と、中間を板厚分の段差に屈曲させ、その屈曲部位よりも板面の先端寄り部位と基端寄り部位にそれぞれボルト孔を設けた屈曲状連結金具とを一組とし、
前記横架材には、端部から前記連結金具が差し込める幅の切り込みを形成して該切り込み部に前記連結金具のボルト孔の位置に合致するボルト孔を貫設し、
前記支柱材には、前記横架材の段数に応じて設定した各取付け高さ部位にボルト孔を貫設し、
前記支柱材のボルト孔にコーナー連結金具の周面接触部をボルト止めして端部に前記屈曲状連結金具の基端部をボルト止めした両横架材の切り込み部に前記コーナー連結金具の連結部を前記屈曲状連結金具の屈曲内面側に接するよう差し込んで、前記横架材のボルト孔に前記コーナー連結金具の連結部と前記屈曲状連結金具のボルト孔を合致させてそれぞれボルト止めして成り、
該ボルトを支点に両側の横架材がそれぞれ上下方向に角度を自由に調節して固定できるようにしたことを特徴とする丸太製防護柵の連結構造。
【請求項３】
丸太製の直立した支柱材と該支柱材の芯々間に架け渡した横架材とを丸太径より細幅な板状の連結金具を介して結合した防護柵であって、
前記横架材の一方側には、請求項１に記載の支柱材及び連結金具を用い、他方側には請求項２に記載の支柱材及び連結金具を用い、
前記横架材の一方側の横架材と支柱材は、端部に前記平面状連結金具の基端部をボルト止めした一方の横架材と、端部に前記屈曲状連結金具の基端部をボルト止めした他方の横架材とを、前記支柱材の両側から前記両連結金具の先端を前記縦の切り込み内に前記平面状連結金具に前記屈曲状連結金具の屈曲内面側が接するように差し込んで、前記支柱材のボルト孔に前記両連結金具の先端部のボルト孔を合致させてボルト止めして成り、
前記横架材の他方側の横架材と支柱材は、前記支柱材のボルト孔にコーナー連結金具の周面接触部をボルト止めして端部に前記屈曲状連結金具の基端部をボルト止めした両横架材の切り込み部に前記コーナー連結金具の連結部を前記屈曲状連結金具の屈曲内面側に接するよう差し込んで、前記横架材のボルト孔に前記コーナー連結金具の連結部と前記屈曲状連結金具のボルト孔を合致させてそれぞれボルト止めして成り、
前記ボルトを支点に両側の横架材がそれぞれ上下方向に角度を自由に調節して固定できるようにしたことを特徴とする丸太製防護柵の連結構造。
【請求項４】
前記支柱材の縦の切り込みを、前記支柱材の両側から差し込まれた各連結金具が重なる部分では前記連結金具２枚の幅とし、前記平面状連結金具のみとなる部分では前記連結金具１枚の幅に形成したことを特徴とする請求項１又は３に記載の丸太製防護柵の連結構造。
【請求項５】
横架材に差し込む平面状連結金具又は屈曲状連結金具の基端寄り部位に設けたボルト孔が複数であることを特徴とする請求項１から４のうちいずれかに記載の丸太製防護柵の連結構造。
【請求項６】
支柱材又は横架材のボルト孔の開口部をボルト頭及びナットが埋没可能な深さに形成したことを特徴とする請求項１から５のうちいずれかに記載の丸太製防護柵の連結構造。
【請求項７】
支柱材又は横架材の開口部に開口部と同形に嵌る蓋を被着したことを特徴とする請求項１から６のうちいずれかに記載の丸太製防護柵の連結構造。
【請求項８】
横架材の端部を、上下方向に角度を自由に調節したときに支柱材に接触しない程度の取付傾斜角に応じた傾斜形状の面取りをしたことを特徴とする請求項１から７のうちいずれかに記載の丸太製防護柵の連結構造。
【請求項９】
支柱材の上端部にキャップを被着したことを特徴とする請求項１から８のうちいずれかに記載の丸太製防護柵の連結構造。
【発明の詳細な説明】
【技術分野】
【０００１】
本発明は、公園の遊歩道などの周囲に設置する丸太製防護柵の連結構造に関する。
【背景技術】
【０００２】
横架材を支柱材の芯々間に架け渡しタイプの丸太製防護柵の施工においては、通常直立した丸太製の支柱材の側面に丸太径の差込穴を開け、その穴に丸太製の横架材の先端を差し込み、その差し込んだ部分が抜けないように、ビスや釘を斜めに打ち込んで固定したり、止め孔付きのＬ字型金具をあてがって止め孔にビスや釘を打ち込んで固定している。
そのような連結方法では、傾斜地の場合には傾斜程度に応じて支柱材の側面に斜めに差込穴を加工しなければならず、これには大変手間がかかり、また設置後に横架材を交換する場合、固定されている支柱材に横架材の両端を同時に嵌め込むのが大変困難であることから、これを改善するために特許文献１及び特許文献２に開示されている金属板製の連結部材を用いた連結構造の技術の提案がなされている。
上記特許文献１の技術においては、支柱材に縦の切り込みを入れて連結用の金属板を挟み込み、その金属板の突出部分の両側に先端に切り込みを設けた横架材を差し込んでボルト止めして連結する構造となっている。
また特許文献２の技術と関連して、上記特許文献１の難点である、支柱材を挟んで一方の横架材が動くと他方の横架材はつられて連動する傾動現象を、ボルト止め部分に座金を用いて固定することによって防止しょうとした技術の提案がなされている。
【特許文献１】特開２００２−３５６８２１
【特許文献２】特開２００３−２６９４３５
【発明の開示】
【発明が解決しようとする課題】
【０００３】
上記特許文献１では、持たれ掛かったり乗ったりして人が横架材に体重を掛けると、図１０の矢印に示すように、一枚の連結用の金属板が支柱材のボルト止め部分を支点にして支柱材の両側の横架材がシーソーのように傾斜連動する所謂傾動現象が起こり、その動きが不安感を与えたり、思わぬ動きで事故を起こす危険性があった。
また、支柱材の両側の横架材の芯同士を一直線に通すことができる利点がある反面、両者を芯をずらして支柱材に固定することができない難点があった。
なお特許文献２の技術では、座金の締め付けである程度の傾動が防げるが基本構造は特許文献１と同じなので、使用素材が強度的に強固ではない自然の木材なので程度の差はあれ所謂傾動現象の発生の根本的な解決には至っていなかった。
そこで、本発明は上記問題を解決し、横架材の支柱材を挟んだ傾斜連動を完全に防ぐことが可能で且つ設置場所の傾斜地にも対応して支柱材に横架材を自由に傾斜させて連結できる丸太製防護柵の連結構造を提供することを目的とする。
【課題を解決するための手段】
【０００４】
上記課題を解決するため、本発明の丸太製防護柵の連結構造は、請求項１にあっては、丸太製の直立した支柱材と該支柱材の芯々間に架け渡した横架材とを丸太径より細幅な板状の連結金具を介して結合した防護柵であって、前記連結金具は、板面の先端寄り部位と基端寄り部位にボルト孔を設けた平面状連結金具と、板面の支柱材内に隠れる中間部位を板厚分の段差に屈曲させ、その屈曲部位よりも先端寄り部位と基端寄り部位にそれぞれボルト孔を設けた屈曲状連結金具とを一組とする。
前記横架材には、端部から前記連結金具が差し込める幅の切り込みを形成して該切り込み部に前記連結金具のボルト孔の位置に合致するボルト孔を貫設する。
前記支柱材には、上端部から下方へ前記連結金具２枚を挟める幅の縦の切り込みを形成して該縦の切り込み部の前記横架材の段数に応じて設定した各取付け高さ部位にボルト孔を貫設する。
端部に前記平面状連結金具の基端部をボルト止めした一方の横架材と、端部に前記屈曲状連結金具の基端部をボルト止めした他方の横架材とを、前記支柱材の両側から前記両連結金具の先端を前記縦の切り込み内に前記平面状連結金具に前記屈曲状連結金具の屈曲内面側が接するように差し込んで、前記支柱材のボルト孔に前記両連結金具の先端部のボルト孔を合致させてボルト止めして成る。
そして、該ボルトを支点に両側の横架材がそれぞれ上下方向に角度を自由に調節して固定できるようにしたことを特徴とする。
【０００５】
請求項２にあっては、丸太製の直立した支柱材と該支柱材の芯々間に架け渡した横架材とを丸太径より細幅な板状の連結金具を介して結合した防護柵であって、前記連結金具は、前記支柱材の周面に添って湾曲した円周の約１／４の長さの周面接触部を備えるとともに、該周面接触部の両端に周円の放射方向に屈曲させた連結部と、前記周面接触部の中央と前記両連結部の先端寄りにボルト孔を設けたコーナー連結金具と、中間を板厚分の段差に屈曲させ、その屈曲部位よりも板面の先端寄り部位と基端寄り部位にそれぞれボルト孔を設けた屈曲状連結金具とを一組とする。
前記横架材には、端部から前記連結金具が差し込める幅の切り込みを形成して該切り込み部に前記連結金具のボルト孔の位置に合致するボルト孔を貫設する。
前記支柱材には、前記横架材の段数に応じて設定した各取付け高さ部位にボルト孔を貫設する。
前記支柱材のボルト孔にコーナー連結金具の周面接触部をボルト止めして端部に前記屈曲状連結金具の基端部をボルト止めした両横架材の切り込み部に前記コーナー連結金具の連結部を前記屈曲状連結金具の屈曲内面側に接するよう差し込んで、前記横架材のボルト孔に前記コーナー連結金具の連結部と前記屈曲状連結金具のボルト孔を合致させてそれぞれボルト止めして成る。
そして、該ボルトを支点に両側の横架材がそれぞれ上下方向に角度を自由に調節して固定できるようにしたことを特徴とする。
【０００６】
請求項３にあっては、丸太製の直立した支柱材と該支柱材の芯々間に架け渡した横架材とを丸太径より細幅な板状の連結金具を介して結合した防護柵であって、
前記横架材の一方側には、請求項１に記載の支柱材及び連結金具を用い、他方側には請求項２に記載の支柱材及び連結金具を用い、
前記横架材の一方側の横架材と支柱材は、端部に前記平面状連結金具の基端部をボルト止めした一方の横架材と、端部に前記屈曲状連結金具の基端部をボルト止めした他方の横架材とを、前記支柱材の両側から前記両連結金具の先端を前記縦の切り込み内に前記平面状連結金具に前記屈曲状連結金具の屈曲内面側が接するように差し込んで、前記支柱材のボルト孔に前記両連結金具の先端部のボルト孔を合致させてボルト止めして成り、
前記横架材の他方側の横架材と支柱材は、前記支柱材のボルト孔にコーナー連結金具の周面接触部をボルト止めして端部に前記屈曲状連結金具の基端部をボルト止めした両横架材の切り込み部に前記コーナー連結金具の連結部を前記屈曲状連結金具の屈曲内面側に接するよう差し込んで、前記横架材のボルト孔に前記コーナー連結金具の連結部と前記屈曲状連結金具のボルト孔を合致させてそれぞれボルト止めして成り、
前記ボルトを支点に両側の横架材がそれぞれ上下方向に角度を自由に調節して固定できるようにしたことを特徴とする。
【０００７】
請求項４にあっては、上記発明の構成において、前記支柱材の縦の切り込みを、前記支柱材の両側から差し込まれた各連結金具が重なる部分では前記連結金具２枚の幅とし、前記平面状連結金具のみとなる部分では前記連結金具１枚の幅に形成したことを特徴とする。
【０００８】
請求項５にあっては、上記発明の構成において、横架材に差し込む平面状連結金具又は屈曲状連結金具の基端寄り部位に設けたボルト孔が複数であることを特徴とする。
【０００９】
請求項６にあっては、上記発明の構成において、支柱材又は横架材のボルト孔の開口部をボルト頭及びナットが埋没可能な深さに形成したことを特徴とする。
【００１０】
請求項７にあっては、上記発明の構成において、支柱材又は横架材の開口部に開口部と同形に嵌る蓋を被着したことを特徴とする。
【００１１】
請求項８にあっては、上記発明の構成において、横架材の端部を、上下方向に角度を自由に調節したときに支柱材に接触しない程度の取付傾斜角に応じた傾斜形状の面取りをしたことを特徴とする。
【００１２】
請求項９にあっては、上記発明の構成において、支柱材の上端部にキャップを被着したことを特徴とする。
【発明の効果】
【００１３】
本発明の丸太製防護柵の連結構造は上記構成であり、設置に場所の傾斜に応じて、横架材を該横架材と支柱材とを連結する連結金具に枢着したボルトを支点に、傾斜角度を上下方向自由に調節して固定することが可能となる。
その際に、横架材を支柱材に連結した各連結金具は、前記枢着用のボルトを支点に、それぞれが独立して角度を変えられるので、それぞれの横架材は他の横架材の角度変化に影響されずに固定できる。
このため、横架材間の傾斜連動を完全に防ぐことが可能となり、人が横架材にもたれかかったりして体重をかけたときの安定性と安全性を高めることが可能となった。
前記請求項２の形態では、支柱材両側の横架材の横方向の開き角度が連結金具の屈曲部の弾性又は塑性変形によって調節することが可能であり、横方向に９０度の開き角度を中心に数１０度の範囲で屈曲した柵の列に対応して設けることが可能となった。
また、請求項３の形態では、横架材を直列させて設置することと併せて水平方向に屈折させて設置することが可能となる。
【発明を実施するための最良の形態】
【００１４】
本発明の丸太製防護柵の連結構造を実施するための最良の形態を以下の実施例により説明する。
本発明は、コンクリート基礎Ｋに直立した支柱材１と該支柱材１の芯々間に架け渡した横架材２とを板状の連結金具を介して連結した防護柵であり、この連結構造は、図２に示すような直列の構造（以下直列タイプと呼ぶ）と、図５に示すような折れ曲がった構造（以下屈折タイプと呼ぶ）と、図１に示すように、横架材２の両側に直列タイプと屈折タイプとの異なったタイプを繋ぐ構造とがある。
【００１５】
まず、直列タイプについて説明する。
この形態では、図１の右下部及び図８に示すように、丸太製の直立した支柱材１と該支柱材１の芯々間に架け渡した横架材２とを、図２に示すように、丸太表面から食み出さないように、丸太径より細幅に形成した板状の中間を屈曲させた屈曲状の連結金具５とフラットな平面状の連結金具６の２種類の連結金具５、６を一組とし、その１組の連結金具５、６を介して結合させる。
【００１６】
前記平面状連結金具６は、板面の先端部６ａ寄り部位には１つの支柱材１に対する枢着用のボルト孔１０を設け、基端部６ｂ寄り部位とその部位からさらに中央寄り部位に横架材２に対する固定用のボルト孔１２、１１を設ける。
前記屈曲状連結金具５は、板面の支柱材１内に隠れる中間部位（より具体的には図４に示すように、板面の前記平面状連結金具６の前記枢着用のボルト孔１０から板面の先端間の距離より長く且つ支柱材１の半径よりも短い部位）、を板厚分の段差で前記枢着用のボルト孔１０側の板面と前記固定用のボルト孔８、９側の板面が平行な段差面となるように屈曲させ、この屈曲部１７よりも板面の先端部５ａ寄り部位には１つの支柱材１に対する枢着用のボルト孔７を設け、基端部５ｂ寄り部位とその部位からさらに中央寄り部位に、横架材２に対する固定用のボルト孔９、８を設ける。
【００１７】
前記横架材２は、図１に示すように、円柱加工した丸太材を一定長さで両端部２ａを切り揃え、図３及び図４に示すように、その端部２ａから前記平面状連結金具６と屈曲状連結金具５が同時に差し込める板２枚分の板厚程度の幅とし、前記連結金具６、５の固定用のボルト孔１１、１２、８、９が全部納まる長さよりも深い切り込み３を形成して該切り込み３部に、該横架材２の丸太材の芯部に合致するように差し込んだときの前記連結金具６、５の各ボルト孔１１、１２、８、９の位置に合致するようにボルト孔１６を、丸太材の割られた周面の中央両側から貫通するように設ける。
【００１８】
前記支柱材１は、図８に示すように、円柱加工した丸太材を一定高さで上端部１ａを切り揃え、図２に示すように、この上端部１ａの丸太の直径線から下向きに前記連結金具の２枚を挟めるように２枚分の板厚と略同幅の縦の切り込み４を前記横架材２の取付け位置に応じた深さの端部４ｂまで形成して、該縦の切り込み４部の前記横架材２の段数に応じて設定した各取付け高さ部位に丸太材の割られた周面の中央両側から貫通するボルト孔１５を設ける。
【００１９】
そして、図２及び図４に示すように、前記横架材２の端部２ａに前記平面状連結金具６の基端部６ａをボルト１４で固定した一方の横架材２と、端部に前記屈曲状連結金具５の基端部５ａをボルト１４で固定した他方の横架材２とを、前記支柱材１の両側から両連結金具５、６の先端部５ａ、６ａを縦の切り込み４内の前記ボルト孔１５がある位置に前記平面状連結金具６に前記屈曲状連結金具６の屈曲内面側が接するように差し込んで、前記支柱材１のボルト孔１５に両連結金具の先端部５ａ、６ａのボルト孔７、１０を合致させて前記支柱材１の一方側から前記各ボルト孔１５、１０、７に枢着ボルト１３を貫挿して他方側からナット１３ａを螺着する。
すると図３に示すように、該ボルト１３を支点に両側の横架材２、２をそれぞれ上下方向に角度（図３中の角度αに示す）を自由に調節して固定できるようになる。
【００２０】
また、図２及び図４に示すように、前記支柱材の縦の切り込み４を、両連結金具５、６が重なる部分では前記連結金具２枚の幅とし、前記平面状連結金具６のみとなる部分では前記連結金具１枚の幅となるように段差に形成することが可能であり、その幅段差部１８の両側には前記平面状連結金具６部分の余分な隙間がなくなり、該横架材２の横振れが防止できるようになる。
【００２１】
次ぎに、屈折タイプについて説明する。
この形態では、この形態では、図１の左上に示すように、丸太製の直立した支柱材２０と該支柱材２０の芯々間に架け渡した横架材２とを、図５及び図６に示すように、丸太径より細幅とした板状のコーナー連結金具２２と連結金具２３の２種類を一組とした両連結金具２２、２３を介して結合させる。
【００２２】
そのうち一つのコーナー連結金具２２は、図５に示すように、前記支柱材２０の周面に添って湾曲した円周の約１／４の長さの周面接触部２２ａを有し且つその周面接触部２２ａの両端に周円の放射方向に屈曲させた連結部２２ｂを形成する。
前記周面接触部２２ａの中央に前記支柱材２０に対するボルト孔２４を設け、前記両連結部２２ｂの先端寄りに１つの枢着用のボルト孔２９を設ける。
もう一つの連結金具２３は、中間を先端側の板面と基端側の板面が平行な段差面となるように板厚分の段差に屈曲させ、屈曲部２３ａの両側板面の先端寄り部位に１つの枢着用のボルト孔２７を設け、基端寄り部位には固定用のボルト孔２８を設ける。
【００２３】
前記横架材２は、図１に示すように、円柱加工した丸太材を一定長さで両端部２ａを切り揃え、図４及び図５に示すように、一方の端部２ａから前記連結金具２３が差し込めるように前記連結金具２枚分の板厚と略同幅の幅で、前記屈曲状連結金具２３が全部納まる長さよりも深い切り込み２１を形成して、該切り込み２１部に前記屈曲状連結金具２３を丸太材内に差し込んだときにそのボルト孔２７、２８が丸太材の芯部に合致する位置に合わせて丸太材の割られた周面の中央両側から貫通するボルト孔３０、３１を設ける。
【００２４】
前記支柱材２０は、円柱加工した丸太材を一定高さで上端部２０ａを切り揃え、前記横架材２の段数に応じて設定した各取付け高さ部位に丸太材の周面の中央両側から貫通するボルト孔２５を設ける。
【００２５】
そして、図４及び図５に示すように、前記支柱材２０のボルト孔２５にコーナー連結金具２２の周面接触部２２ａをボルト２６で固定し、端部２ａに前記屈曲状連結金具２３の基端部をボルト３３止めした両横架材２、２の切り込み２１部に前記コーナー連結金具２２の連結部２２ｂを前記屈曲状連結金具２３の屈曲内面側に接するよう差し込んで、前記横架材２のボルト孔３０に前記コーナー連結金具２２の連結部２２ｂと前記屈曲状連結金具２３のボルト孔２９、２７を合致させてボルト３２を貫挿してナット３２ａを螺着する。
そして、支柱材２０の該ボルト３２を支点に支柱材２０の両側の横架材２、２をそれぞれ上下方向に角度（図５中の角度αに示す）を自由に調節して固定できるようにする。
【００２６】
この屈折タイプの形態にあっては、支柱材２０両側の横架材２の横方向の開き角度が連結金具の屈曲部の弾性又は塑性変形によって調節することが可能であり、横方向に９０度の開き角度を中心に数１０度の範囲で自由に屈曲（図６中の角度βに示す）させて設置することが可能となる。
【００２７】
上記直列タイプと屈折タイプのいずれの形態においても、直列タイプの前記平面状連結金具６、屈曲状連結金具５及び屈折タイプの前記屈曲状連結金具２３の前記横架材２に差し込む基端寄り部位に設けたボルト孔１６、３１は、図１では、直列タイプでは二個、屈折タイプでは１個設けた態様を示しているが、さらに強固に固定するために、さらにそれぞれ数個設けることも可能である。
【００２８】
また、図１に示すように、横架材２の両側に、上記直列タイプと上記屈折タイプとの異なったタイプを繋ぐ構造が可能である。
従って、本発明では、上記直列タイプと、上記屈折タイプと、上記直列タイプ及び屈折タイプの組合せとを設置する土地の地形に合わせて適宜組み合わせて用いることが可能である。
【００２９】
さらに、図４及び図６に示すように、支柱材１、２０及び横架材２の表面に現れるボルト孔１５、１６、２５、３０、３１の各開口部はボルト頭及びナットが埋没可能な深さのボルト頭陥没孔１５ａ、１６ａ、２５ａ、３０ａ、３１ａに形成することができ、このようにすれば、表面からボルト頭及びナットなどが隠れ、接触したとき衣類や身体を傷つけるおそれがなくなり安全である。
【００３０】
そして、図５及び図７に示すように、支柱材１、２０又は横架材２のボルト孔の各開口部には、その開口部と同形に嵌る蓋３５を被着すとさらに表面からその孔を隠せるので見栄えがよくなる。
【００３１】
さらに、図５及び図７に示すように、横架材２の端部２ａを、上下方向に角度を自由に調節する際に、大きな傾斜角度となった時に、支柱材１に横架材２の端部２ａのコーナー部が当たって調節が阻害されるのを防ぐために、前記支柱材１に接触しない程度の取付傾斜角に応じた傾斜形状の面取り３４をすると良い。
【００３２】
また、図１及び図２に示すように、支柱材１、２０の上端部には金属製又はプラスチック製のキャップ１９を被着すれば、上記直列タイプでは、支柱材の縦の切り込み４の開口部４ａが覆われるので、雨水による内部金具の腐蝕を防ぐととものにゴミを詰めるなどの悪戯などに対する防護にもなる。
【産業上の利用可能性】
【００３３】
本発明は丸太防護柵の構造であるが、丸太を用いる各種手摺などに用いることも可能である。
【図面の簡単な説明】
【００３４】
【図１】本発明の直列タイプと屈折タイプとを備えた全体の斜視図である。
【図２】請求項１の直列タイプの形態における部分断面斜視図である。
【図３】図２の形態における横架材が傾斜した状態を示す要部の部分断面斜視図である。
【図４】図２の形態における要部の水平断面図である。
【図５】請求項３の屈折タイプの形態における要部の部分断面斜視図である。
【図６】図５の形態における要部の水平断面図である。
【図７】請求項６及び請求項７の形態における斜視図である。
【図８】直列タイプの斜視図である。
【図９】請求項７の形態における要部の縦断側面図である。
【図１０】従来の連結部における要部の縦断側面である。
【符号の説明】
【００３５】
１    支柱材
１ａ  支柱材の上端部
１ｂ  支柱材の下部
２    横架材
２ａ  横架材の端部
３    切り込み
３ａ  横架材の切り込み開口部
３ｂ  横架材の切り込み端部
４    支柱材の切り込み
４ａ  支柱材の切り込み開口部
４ｂ  支柱材の切り込み端部
５    屈曲状連結金具
５ａ  屈曲状連結金具の先端部
５ｂ  屈曲状連結金具の基端部
６    平面状連結金具
６ａ  平面状連結金具の先端部
６ｂ  平面状連結金具の基端部
７    枢着用ボルト孔
８    固定用ボルト孔
９    固定用ボルト孔
１０    枢着用ボルト孔
１１    固定用ボルト孔
１２    固定用ボルト孔
１３    枢着用ボルト
１３ａ  ナット
１４    固定用ボルト
１４ａ  ナット
１５    支柱材のボルト軸孔
１５ａ  ボルト陥没孔頭孔
１６    横架材のボルト軸孔
１６ａ  ボルト陥没孔頭孔
１７    屈曲部
１８    幅段差部
１９    キャップ
２０    支柱材
２０ａ  支柱材の上端部
２０ｂ  支柱材の下部
２１    横架材の切り込み
２１ａ  横架材の切り込み開口部
２１ｂ  横架材の切り込み端部
２２    コーナー連結金具
２２ａ  コーナー連結金具の周面接触部
２２ｂ  コーナー連結金具の連結部
２３    連結金具
２４    コーナー連結金具のボルト孔
２５    支柱材のボルト孔
２５ａ  ボルト頭陥没孔
２６    固定用ボルト
２６ａ  ナット
２７    連結金具の枢着用ボルト孔
２８    連結金具の固定用ボルト孔
２９    コーナー連結金具の枢着用のボルト孔
３０    横架材の枢着用ボルト軸孔
３０ａ  ボルト頭陥没孔孔
３１    横架材の固定用ボルト軸孔
３１ａ  ボルト頭陥没孔
３２    枢着用ボルト
３２ａ  ナット
３３    固定用ボルト
３３ａ  ナット
３４    面取り
３５    蓋
Ｋ    コンクリート基礎
【図１】
2007186901.tif 000003
【図２】
2007186901.tif 000004
【図３】
2007186901.tif 000005
【図４】
2007186901.tif 000006
【図５】
2007186901.tif 000007
【図６】
2007186901.tif 000008
【図７】
2007186901.tif 000009
【図８】
2007186901.tif 000010
【図９】
2007186901.tif 000011
【図１０】
2007186901.tif 000012